(57)【要約】【課題】飲食店が備える消耗品として紙エプロンの普及を補助する管理サーバを提供する。【解決手段】管理サーバは、配布依頼者端末に紙エプロンフォーマットを送信し、配布依頼者端末から紙エプロンフォーマットに基づく配布依頼情報を取得する。管理サーバは、配布依頼情報に基づいて紙エプロンの印刷イメージを作成し、作成した印刷イメージに基づく紙エプロンが配布先店舗へ配布されるよう指示する。管理サーバは、配布先店舗で紙エプロンの提供を受けた客の客端末から取得した来店者情報を蓄積するとともに、来店者情報に基づく情報を配布依頼者端末、客端末及び配布先店舗の飲食店端末に通知する。また、管理サーバは、配布先店舗を変更する必要がある場合、配布先店舗を変更し、変更した配布先店舗に配布依頼情報に基づく紙エプロンが配布されるよう指示する。【選択図】図２
2011123753.tif 000002
【特許請求の範囲】
【請求項１】
配布依頼者端末から取得する配布依頼情報に基づいて紙エプロンを作成し、飲食店に配布された前記紙エプロンを介して来店者情報を取得する管理サーバであって、
複数の前記飲食店の店舗情報を記憶した店舗情報記憶手段と、
該店舗情報記憶手段から読み出した前記店舗情報と前記紙エプロンの基となる紙エプロン画像を前記配布依頼者端末に送信し、前記紙エプロン画像に所望の画像が付加された紙エプロンイメージと、前記店舗情報の中から選択された配布先店舗の配布先店舗情報とが含まれる配布依頼情報を前記配布依頼者端末から取得する配布依頼受付手段と、
前記配布先店舗で前記紙エプロンを提供された客の客端末から該客の客情報と前記配布先店舗情報とを来店者情報として取得するための識別コードを作成するコード作成手段と、
該コード作成手段により作成された前記識別コードを前記配布依頼受付手段により取得された前記紙エプロンイメージに書き込んだ前記紙エプロンの印刷イメージを描画する紙エプロン描画手段と、
前記客端末から取得した前記来店者情報を前記店舗情報記憶手段に蓄積させるとともに、前記来店者情報に基づいて依頼者用情報、客用情報、飲食店用情報を作成する来店者情報処理手段と、
該来店者情報処理手段により作成された、前記依頼者用情報を前記配布依頼者端末に通知し、前記客用情報を前記客端末に通知し、前記飲食店用情報を前記配布先店舗の備える飲食店端末に通知する情報提供手段とを備えた
ことを特徴とする管理サーバ。
【請求項２】
前記来店者情報処理手段は、前記店舗情報記憶手段に記憶された前記配布先店舗の最新の前記店舗情報と前記配布依頼受付手段により取得された前記配布先店舗情報とが異なる場合に前記紙エプロンが配布される前記配布先店舗を変更する
ことを特徴とする請求項１に記載の管理サーバ。
【請求項３】
前記配布依頼受付手段は、前記配布依頼者端末から前記画像の著作権の売買についての作者希望情報が含まれる前記配布依頼情報を取得し、
前記コード作成手段は、前記作者希望情報に対応する前記著作権の購入依頼情報を前記来店者情報として取得する前記識別コードを作成し、
前記情報提供手段は、前記来店者情報に含まれる前記購入依頼情報を前記依頼者用情報に含めて前記配布依頼者端末に通知する
ことを特徴とする請求項１又は２に記載の管理サーバ。
【請求項４】
ネットワークを介して接続された配布依頼者端末と客端末と管理サーバとを備えた紙エプロン普及補助システムであって、
前記配布依頼者端末は、所望の画像と、前記管理サーバが有する店舗情報記憶手段に記憶された複数の飲食店の店舗情報に基づいて紙エプロンの配布先となる配布先店舗の配布先店舗情報とを前記管理サーバに送信する配布依頼送信手段を有し、
前記管理サーバは、前記画像と前記配布先店舗情報が書き込まれた識別コードとに基づく前記紙エプロンの印刷イメージを作成する作成手段を有し、
前記客端末は、入力された客情報と前記配布先店舗に配布された前記紙エプロンの前記識別コードに予め書き込まれた前記配布先店舗情報とを来店者情報として前記管理サーバに送信する来店者情報送信手段を有し、
前記管理サーバは、取得した前記来店者情報に基づいて前記店舗情報を更新する来店者情報処理手段を備えた
ことを特徴とする紙エプロン普及補助システム。
【請求項５】
前記来店者情報処理手段は、
更新された前記店舗情報記憶手段に記憶された前記配布先店舗の前記店舗情報と前記配布依頼者端末から送信された前記配布先店舗情報とが異なる場合に、前記紙エプロンが配布される前記配布先店舗を変更する
ことを特徴とする請求項４に記載の紙エプロン普及補助システム。
【発明の詳細な説明】
【技術分野】
【０００１】
本発明は、飲食店に紙エプロンが備えられるように紙エプロンの普及を補助する管理サーバ及び紙エプロン普及補助システムに関する。
【背景技術】
【０００２】
従来、客が飲食店で飲食することにより、衣服を飲食物で汚すことが多くあった。これを防止するために、いくつかの飲食店では飲食店側で紙エプロンを用意し、客に提供することが行われていた。
【０００３】
一方、多くの飲食店では、飲食店側で紙エプロンを用意し客に提供することは、経費の増大や手間が掛かること等の問題から行われていなかった。
【０００４】
これに対し、飲食店の消耗品（紙ナプキンや、紙エプロン等）に識別コードを含む広告を印刷して飲食店に設置することで、広告主及び飲食店の需給を満たすとともに客に情報を提供する、広告媒体としての紙製消耗品が知られている（特許文献１参照）。
【先行技術文献】
【特許文献】
【０００５】
【特許文献１】特開２００８−１４５４９５号公報
【発明の概要】
【発明が解決しようとする課題】
【０００６】
しかしながら、特許文献１の技術では、広告依頼者は、全国各地に無数に存在し日々客層の移り変わりやすい飲食店をどのように選べばよいのか不明であるとともに、実際に広告対象となる客に紙エプロンを配布できているのか等が不確かであるため、広告依頼に対し消極的になりやすい。
【０００７】
また、飲食店は、個人経営であることが多いため、客に提供しなくても店舗の運営に支障を来たさない紙エプロンのような消耗品について、経費を掛ける余裕がない場合が多い。飲食店としては、紙エプロンの供給を受けられるのであれば経費の削減及びサービスの向上に繋がるが、上記により飲食店に紙エプロンを支給しようとする広告依頼者数は多くなく、飲食店側に供給される紙エプロンの量も十分ではない。
【０００８】
このように、飲食店が備える消耗品として紙エプロンは普及しにくいという問題がある。
【０００９】
本発明は上記課題に鑑みてなされたものであり、飲食店が備える消耗品として紙エプロンの普及を補助する管理サーバ及び紙エプロン普及補助システムを提供することを目的とする。
【課題を解決するための手段】
【００１０】
本発明の管理サーバは、配布依頼者端末から取得する配布依頼情報に基づいて紙エプロンを作成し、飲食店に配布された前記紙エプロンを介して来店者情報を取得する管理サーバであって、複数の前記飲食店の店舗情報を記憶した店舗情報記憶手段と、該店舗情報記憶手段から読み出した前記店舗情報と前記紙エプロンの基となる紙エプロン画像を前記配布依頼者端末に送信し、前記紙エプロン画像に所望の画像が付加された紙エプロンイメージと、前記店舗情報の中から選択された配布先店舗の配布先店舗情報とが含まれる配布依頼情報を前記配布依頼者端末から取得する配布依頼受付手段と、前記配布先店舗で前記紙エプロンを提供された客の客端末から該客の客情報と前記配布先店舗情報とを来店者情報として取得するための識別コードを作成するコード作成手段と、該コード作成手段により作成された前記識別コードを前記配布依頼受付手段により取得された前記紙エプロンイメージに書き込んだ前記紙エプロンの印刷イメージを描画する紙エプロン描画手段と、前記客端末から取得した前記来店者情報を前記店舗情報記憶手段に蓄積させるとともに、前記来店者情報に基づいて依頼者用情報、客用情報、飲食店用情報を作成する来店者情報処理手段と、該来店者情報処理手段により作成された、前記依頼者用情報を前記配布依頼者端末に通知し、前記客用情報を前記客端末に通知し、前記飲食店用情報を前記配布先店舗の備える飲食店端末に通知する情報提供手段とを備えたことを特徴とする。
また、前記来店者情報処理手段は、前記店舗情報記憶手段に記憶された前記配布先店舗の最新の前記店舗情報と前記配布依頼受付手段により取得された前記配布先店舗情報とが異なる場合に前記紙エプロンが配布される前記配布先店舗を変更してもよい。
また、前記配布依頼受付手段は、前記配布依頼者端末から前記画像の著作権の売買についての作者希望情報が含まれる前記配布依頼情報を取得し、前記コード作成手段は、前記作者希望情報に対応する前記著作権の購入依頼情報を前記来店者情報として取得する前記識別コードを作成し、前記情報提供手段は、前記来店者情報に含まれる前記購入依頼情報を前記依頼者用情報に含めて前記配布依頼者端末に通知してもよい。
本発明の紙エプロン普及補助システムは、ネットワークを介して接続された配布依頼者端末と客端末と管理サーバとを備えた紙エプロン普及補助システムであって、前記配布依頼者端末は、所望の画像と、前記管理サーバが有する店舗情報記憶手段に記憶された複数の飲食店の店舗情報に基づいて紙エプロンの配布先となる配布先店舗の配布先店舗情報とを前記管理サーバに送信する配布依頼送信手段を有し、前記管理サーバは、前記画像と前記配布先店舗情報が書き込まれた識別コードとに基づく前記紙エプロンの印刷イメージを作成する作成手段を有し、前記客端末は、入力された客情報と前記配布先店舗に配布された前記紙エプロンの前記識別コードに予め書き込まれた前記配布先店舗情報とを来店者情報として前記管理サーバに送信する来店者情報送信手段を有し、前記管理サーバは、取得した前記来店者情報に基づいて前記店舗情報を更新する来店者情報処理手段を備えたことを特徴とする。
また、前記来店者情報処理手段は、更新された前記店舗情報記憶手段に記憶された前記配布先店舗の前記店舗情報と前記配布依頼者端末から送信された前記配布先店舗情報とが異なる場合に、前記紙エプロンが配布される前記配布先店舗を変更してもよい。
【発明の効果】
【００１１】
本発明によれば、飲食店が備える消耗品として紙エプロンの普及を補助することができる。
【図面の簡単な説明】
【００１２】
【図１】本発明の実施形態に係る紙エプロン普及補助システムＸの全体構成を示す図である。
【図２】本発明の実施形態に係る管理サーバの構成を示す機能ブロック図である。
【図３】本発明の実施形態に係る紙エプロンの一例を示す図である。
【図４】本発明の実施形態に係る配布中の飲食店の客層の変動例を示す図である。
【図５】本発明の実施形態に係る紙エプロン普及補助システムＸの流れを示すフローチャートである。
【図６】本発明の実施形態に係る紙エプロンの識別コードに基づいてアクセスすることにより客端末に表示される客情報入力画面の一例を示す図である。
【図７】本発明の実施形態に係る配布中の紙エプロンの一覧画面例を示す図である。
【図８】本発明の実施形態に係る配布中の紙エプロンの詳細画面例を示す図である。
【発明を実施するための形態】
【００１３】
以下、図を参照して本発明の実施形態を詳細に説明する。
【００１４】
まず、図１を参照して、本実施形態における紙エプロン普及補助システムＸの全体構成を説明する。紙エプロン普及補助システムＸは、配布依頼者端末１０と、管理サーバ２０と、客端末３１と、飲食店端末３２とで構成される。配布依頼者端末１０と管理サーバ２０と客端末３１と飲食店端末３２とは、インターネット等のネットワーク４０を介して接続される。
【００１５】
配布依頼者端末１０は、コンピュータ等であり、紙エプロン３５０を配布したいと考える配布依頼者の操作に応じて、ネットワーク４０を介して管理サーバ２０から紙エプロンフォーマットをダウンロードし、紙エプロンフォーマットに基づいて作成する紙エプロンイメージや配布条件、配布依頼者情報を配布依頼情報として管理サーバ２０へ送信する。また、配布された紙エプロン３５０に基づく配布依頼者用情報を管理サーバ２０から取得する。なお、複数の配布依頼者端末１０が配布依頼を行ってもよく、各配布依頼者端末１０がそれぞれ複数の配布依頼を行ってもよい。
【００１６】
飲食店端末３２は、コンピュータ等であり、飲食店３０の経営者等の操作に応じてネットワーク４０を介して、飲食店３０の所在する地域、焼肉やラーメン等の料理種別及び来店する客の客層等の自店情報を管理サーバ２０に送信し自店情報を登録する。また、飲食店端末３２は、配布先店舗３３で客に提供された紙エプロン３５０に基づく飲食店用情報を管理サーバ２０から取得する。なお、飲食店３０は、一軒以上であればよく、それぞれの飲食店３０には飲食店端末３２が備えられているものとする。また、紙エプロン３５０は、複数の飲食店３０の中から配布依頼者端末１０を介して配布依頼者によって指定された飲食店３０である配布先店舗３３に配布され、配布先店舗３３に来店した客に提供される。
【００１７】
客端末３１は、客が所持する携帯端末等であり、二次元コード等の識別コードを読み取り、ネットワーク４０を介して、読み取った識別コードに書き込まれた情報に基づいて所定の接続先（ＵＲＬ）にアクセスし、管理サーバ２０と情報の送受信を行う機能を備えている。客端末３１は、客の操作に応じて、紙エプロン３５０に記載された識別コードに基づいてアクセスし、客によって入力される客情報と予め識別コードに書き込まれた所定情報とを来店者情報として、ネットワーク４０を介して管理サーバ２０に送信する。また、客端末３１は、来店者情報を管理サーバ２０へ送信することによって得られる客用情報を管理サーバ２０からネットワーク４０を介して取得する。
【００１８】
管理サーバ２０は、配布依頼者端末１０から送信される配布依頼情報に基づいて識別コードを付加した紙エプロン３５０の印刷イメージを作成し、紙エプロン３５０の印刷イメージに基づく紙エプロン３５０が配布先店舗３３に配布されるよう指示する。また、紙エプロン３５０に記載された識別コードに基づいてアクセスした客端末３１等から送信される来店者情報を処理し蓄積するとともに、配布依頼者用情報、飲食店用情報、客用情報を作成し、それぞれ配布依頼者端末１０、飲食店端末３２、客端末３１に送信する。
【００１９】
管理サーバ２０の構成について図２を参照して具体的に説明する。管理サーバ２０は、外部Ｉ／Ｆ２１と普及プロモーション部２２と情報記憶部２３とを備えている。
【００２０】
外部Ｉ／Ｆ２１は、ネットワークインタフェースカード等で構成され、ネットワーク４０に接続されており、ネットワーク４０を介して配布依頼者端末１０や客端末３１及び飲食店端末３２と情報の送受信を行う。
【００２１】
情報記憶部２３は、ＨＤＤ（Hard Disk Drive）等の記憶装置で構成され、受注記憶部２３１と店舗記憶部２３２と来店者記憶部２３３とを有する。受注記憶部２３１、店舗記憶部２３２及び来店者記憶部２３３は、データベースで構成するとよい。また、情報記憶部２３の内容に連動して管理サーバ２０が管理するホームページが更新されるようにしてもよい。
【００２２】
受注記憶部２３１は、配布依頼者端末１０から送信される配布依頼情報を記憶する。配布依頼情報は、配布依頼者名等の配布依頼者情報や、紙エプロン３５０に記載される画像３６０の作者情報、紙エプロンフォーマットに基づいて作成される紙エプロンイメージ及び紙エプロン３５０の配布先店舗３３や配布枚数、配布期間等の配布条件等で構成される。配布条件の一つである配布先店舗３３については、配布依頼者による配布依頼時の配布先店舗３３の店舗情報を併せて記憶する。また、客が客端末３１を介して配布依頼者の紙エプロン３５０に記載される識別コード３７０に基づいてアクセスしたことにより、配布依頼者から商品券等の接続特典を与える場合、その接続特典を配布依頼情報に含めて記憶してもよい。
【００２３】
来店者記憶部２３３は、客端末３１から送信される来店者情報を記憶する。来店者情報は、客の年齢や、性別、職業、居住地域の都道府県、訪れた店舗情報、提供された紙エプロン３５０の評価、飲食したメニュー等や、来店者情報を管理サーバ２０に送信したことによる累積ポイント等で構成される。他に、氏名や住所、メールアドレス等の個人情報を含めてもよい。
【００２４】
店舗記憶部２３２は、飲食店端末３２から送信される飲食店３０の店舗情報を記憶する。店舗情報は、飲食店３０の名称、所在する住所（地域）、料理種別、１日平均来客数、客層、提供しているメニュー、各メニューのカロリー等で構成される。店舗情報は、不図示の飲食店登録手段等により、紙エプロン３５０の受給を希望する飲食店３０が飲食店端末３２を介して自店情報を登録することにより店舗記憶部２３２に蓄積される。管理サーバ２０は、飲食店３０の経営者等が飲食店端末３２を介して自店情報を登録する際に、提供メニューのカロリーが不明の場合、提供メニューに使用される食材を登録すれば、予め記憶された食材別のカロリー表等を参照して提供メニューのカロリーを計算し、その提供メニューのカロリーとして店舗情報に関連付けて記憶してもよい。また、客が客端末３１を介して紙エプロン３５０の識別コード３７０に基づいてアクセスしたことにより、飲食店３０で使用可能なクーポン券等の接続特典を与える場合、その接続特典を店舗情報に含めて記憶してもよい。
【００２５】
普及プロモーション部２２は、ＣＰＵ（Central Processing Unit）等の演算装置で構成され、不図示のＲＡＭ（Random Access Memory）等に格納されたプログラムを読み出して実行することで、配布依頼受付部２２１とコード作成部２２２と紙エプロン描画部２２３と配布指示部２２４と来店者情報処理部２２５と情報提供部２２６等の機能を実現する。このプログラムは外部記憶媒体に格納されて普及プロモーション部２２に提供されてもよいし、ネットワーク４０を介して提供されてもよい。また、普及プロモーション部２２が実行する本実施形態の各機能の一部は、管理サーバ２０に予めインストールされたオペレーティングシステムが行ってもよい。
【００２６】
配布依頼受付部２２１は、外部Ｉ／Ｆ２１を介して配布依頼者端末１０からの紙エプロンフォーマット取得要求に応じて、不図示の記憶部に記憶された紙エプロンフォーマットを配布依頼者端末１０に送信する。紙エプロンフォーマットには、紙エプロン３５０の基となる紙エプロン画像等がある。紙エプロン画像は、実際に飲食店３０に配布される紙エプロン３５０について形状や大きさ等が異なる複数種類の画像で構成される。配布依頼者は、複数の紙エプロン画像の中から所望の紙エプロン画像を選択し、選択した紙エプロン画像を基にして所望の画像等を書き込んだり貼り付けたりすることで、実際に飲食店３０に配布される紙エプロン３５０のイメージを完成させることができる。
【００２７】
図３は、配布依頼者が配布依頼者端末１０を介して紙エプロンフォーマットに基づいて完成させる紙エプロン３５０のイメージ図である。このように、紙エプロンイメージには配布依頼者によって指定された画像３６０と後述するコード作成部２２２によって所定位置３７１に書き込まれる識別コード３７０がある。
【００２８】
配布依頼者は、紙エプロン画像に貼り付ける画像３６０について自ら用意してもよいし、管理サーバ２０が備える不図示の画像記憶部に蓄積された画像の中から選択してもよいし、管理サーバを介して公募してもよい。管理サーバが蓄積する画像は、過去に紙エプロンに掲載した画像でもよいし、個人クリエイター等が作製し管理サーバ２０を介して著作権の売買を希望する画像でもよい。
【００２９】
このように、紙エプロン画像に貼付される画像３６０は、配布依頼者以外によって制作される場合がある。そのため、配布依頼者は、配布依頼者端末１０を介して紙エプロンイメージを作成する際に、紙エプロン画像に貼付される画像３６０が誰により制作されたものであるかを示す作者情報を紙エプロンイメージに付加するとよい。この作者情報は、紙エプロンイメージのプロパティ（紙エプロンイメージのデータの属性情報）情報として付加されてもよい。
【００３０】
紙エプロンフォーマットは、アプリケーションプログラムにより構成されてもよいし、複数種類の紙エプロン画像の集合であってもよい。配布依頼受付部２２１は、紙エプロンフォーマットを配布依頼者に使用させることで、一般的な矩形の広告等に比べて形状の複雑な紙エプロン３５０の完成イメージを配布依頼者に分かりやすく提供するとともに、配布依頼処理を簡易にすることができる。
【００３１】
紙エプロンフォーマットをアプリケーションプログラムとして構成する場合、識別コード３７０に重なって画像３６０が表示されたときは、画像３６０の前面に識別コード３７０が表示されるように、所定位置３７１の再配置をするとよい。これにより、より正確に配布依頼者に紙エプロン３５０の完成イメージを伝えることができるとともに、配布依頼者が所定位置３７１を避けて画像３６０を編集する手間を軽減できる。
【００３２】
また、配布依頼受付部２２１は、外部Ｉ／Ｆ２１を介した配布依頼者端末１０からの店舗情報取得要求に応じて、店舗記憶部２３２から読み出した店舗情報を配布依頼者端末１０に送信する。この店舗情報取得要求は、上記紙エプロンフォーマットに予め設けられたリンクボタン等により配布依頼者端末１０からネットワーク４０を介して配布依頼受付部２２１に送信できるようにしてもよい。配布依頼受付部２２１が店舗情報を送信する際には、配布依頼者がマップ検索やキーワード検索等により簡単に飲食店３０を検索できるようにするとよい。
【００３３】
例えば、マップ検索では、配布依頼受付部２２１は、拡大縮小自在な地図を配布依頼者端末１０に表示し、地図上の各飲食店３０の所在地に該当する位置に各飲食店３０をシンボル表示するとともに、配布依頼者の操作に応じて飲食店３０を種類毎に絞り込んで配布依頼者端末１０に再表示する。この際に、配布依頼受付部２２１は、表示される飲食店３０の軒数も合わせて配布依頼者端末１０に表示するとよい。また、配布依頼者が飲食店３０の種類選択後、地図上で都道府県名、市町村名や市街地名、エリア名にカーソルを合わせたときに色が変わった範囲をクリック等すると、そのエリアの該店舗数が配布依頼者端末１０に表示されるようにしてもよい。また、キーワード検索では、配布依頼受付部２２１は、配布依頼者端末１０を介して配布依頼者によって入力されるキーワード、例えば飲食店名やエリア名、料理種別等が該当する飲食店３０を表示する。また、マップ検索とキーワード検索とを組み合わせて検索可能に構成してもよく、配布依頼受付部２２１は、例えば、マップ検索で市町村等の所定地域まで絞り込んだ店舗情報を配布依頼者端末１０に表示した後に、配布依頼者によりキーワードとして入力される飲食店名を取得し、所定地域内の該飲食店名が検索結果として表示されるように構成してもよい。これによれば、全国に同一名の飲食店３０が複数存在しても、配布依頼者が目的の飲食店３０を容易に検索できる。また、キーワード検索で飲食店３０を検索した後に、キーワード検索で該当した飲食店３０のシンボルのみをマップ検索の地図上に点滅等させて分かりやすく配布依頼者端末１０に表示してもよい。
【００３４】
また、配布依頼受付部２２１は、店舗情報について客層や来店者数等の所定項目別（例えば、男性客の多い飲食店３０や学生の多い飲食店３０等）に順位付けをして、順位付けをした店舗情報を配布依頼者端末１０に表示してもよく、配布依頼者がその順位により配布先店舗３３を選択できるようにしてもよい。また、配布依頼受付部２２１は、店舗記憶部２３２に蓄積された店舗情報に基づいて、利用者数や客層の変動を予測し、配布依頼者端末１０に表示してもよい。例えば、配布依頼受付部２２１は、客層に学生の多い飲食店３０の場合、春・夏・冬等の長期休暇の際には客層及び利用者数が大幅に変動又は減少すると予測し、その旨を配布依頼者端末１０に表示してもよい。
【００３５】
また、配布依頼受付部２２１は、店舗情報を配布依頼者端末１０に提供する際に、配布依頼者が個々に配布先店舗３３を指定する手間を省くために、例えば、“エリア別に枚数指定で選択ボタン”や、“エリア別に店舗種類と枚数指定で選択ボタン”、“全国で店舗種類と枚数指定で選択ボタン”等のように、紙エプロン３５０の配布枚数や飲食店３０の所在地域、及び飲食店３０の料理種別や客層等から配布先店舗３３を複数選択できるように、配布依頼者端末１０に配布先店舗３３を選択可能な画面を表示するとよい。この場合、配布依頼者端末３２から具体的な配布先店舗名は指定されないので、配布依頼受付部２２１は、紙エプロン３５０が不足しがちな飲食店３０（例えば、配布先店舗３３として指定されていない飲食店３０や来店者数が所定期間単位で増加している飲食店３０等）を受注記憶部２３１や店舗記憶部２３２から検索して、検索した飲食店３０を配布先店舗３３にするとよい。飲食店３０は、配布依頼者から供給される消耗品（紙エプロン３５０）が、不定期で数量も安定しない場合、自店の備品として当てにできず、また供給されたときだけ客に提供するという面倒な作業になるため、配布依頼者から消耗品を供給されること自体に消極的になりやすい。しかし、このように紙エプロン３５０が不足がちな飲食店３０を検索して配布先店舗３３に指定することで、各飲食店３０に紙エプロン３５０を満遍なく普及させることができ、また定期的に安定した数量で紙エプロン３５０を供給しやすいので、配布依頼者からの紙エプロン３５０の供給を受け入れる飲食店３０を多く獲得できる。
【００３６】
配布依頼受付部２２１は、上記により配布依頼者端末１０に送信した紙エプロンフォーマットや店舗情報に基づいて、配布依頼者端末１０から紙エプロンフォーマットに基づく紙エプロンイメージと紙エプロン３５０を配布する配布先店舗３３の店舗情報、配布期間及び配布枚数等の配布条件及び配布依頼者情報等で構成される配布依頼情報を取得する。
【００３７】
配布依頼受付部２２１は、配布依頼者端末１０から配布依頼情報を取得すると、取得した配布依頼情報をコード作成部２２２及び紙エプロン描画部２２３へ出力するとともに、受注記憶部２３１に記憶する。このとき、受注記憶部２３１に記憶される配布先店舗３３の店舗情報は、配布依頼者端末１０からの店舗情報取得要求に応じて配布依頼受付部２２１が配布依頼者端末１０に送信したものであり、後述する来店者情報に基づいてリアルタイムに更新される店舗情報の影響を受けない。
【００３８】
コード作成部２２２は、配布依頼受付部２２１から配布依頼を取得すると、識別コード３７０を作成し、作成した識別コード３７０を紙エプロン描画部２２３へ出力する。この識別コードは、いわゆる二次元コードや３次元コードであり、配布先店舗３３で紙エプロン３５０を入手した客が客端末３１を介してアクセスすることで、客が客情報を入力可能なページを客端末３１に表示するとともに、予め識別コード３７０に書き込まれた所定情報と客によって入力された客情報とを来店者情報として客端末３１を介して管理サーバ２０へ送信できるように構成される。コード作成部２２２が作成する識別コード３７０は画像形式でもよい。
【００３９】
ここで、予め識別コード３７０に書き込まれる所定情報には、配布依頼者情報や紙エプロン３５０に掲載される画像３６０の作者情報、配布先店舗情報、配布期間及び紙エプロン３５０のロットナンバー等がある。
【００４０】
ロットナンバーは、同一店舗に配布される紙エプロン３５０について所定枚数毎で同一となっており、後述する各店舗における来店者数を把握するために用いられる。例えば、配布先店舗３３の一例である中村屋に配布される３５０枚の紙エプロン３５０の内、１０枚毎を同一のロットナンバーとするならば、コード作成部２２２は、３５種類の識別コード３７０を作成することになる。このように、識別コード３７０は、一つの配布先店舗３３について、配布依頼者情報や作者情報、画像３６０情報、配布期間、ロットナンバー等が異なる複数種類が作成される場合がある。
【００４１】
紙エプロン描画部２２３は、配布依頼受付部２２１から取得した紙エプロンイメージの所定位置３７１に、コード作成部２２２によって作成された識別コード３７０を描画して、紙エプロン３５０の印刷イメージを作成する。紙エプロン描画部２２３は、作成した紙エプロン３５０の印刷イメージと配布依頼受付部２２１から取得した配布依頼情報に含まれる配布条件とを配布指示部２２４へ出力する。
【００４２】
配布指示部２２４は、紙エプロン描画部２２３から紙エプロン３５０の印刷イメージと配布条件とを取得すると、紙エプロン描画部２２３によって作成された紙エプロン３５０の印刷イメージに基づく紙エプロン３５０が、配布条件に基づいて各配布先店舗３３に配布されるよう指示する。配布指示部２２４は、予め設定された配布指示先（例えば、印刷会社や配送会社のメールアドレス等）に外部Ｉ／Ｆ２１及びネットワーク４０を介して、紙エプロン３５０の印刷イメージ及び配布枚数や配布期間、配布先店舗３３等の配布条件等を送信して配布指示を行ってもよい。また、配布指示部２２４は、予めネットワーク４０に接続された印刷機が配布先店舗３３に設置されている場合、配布期間に合わせて各配布先店舗３３の印刷機に紙エプロン３５０の印刷イメージを直接送信し、所定枚数印刷させるようにしてもよい。これによれば、印刷会社や配送会社を介することによる中間マージンを削減できるとともに、配布先店舗３３における紙エプロン３５０の在庫日数を最小限にすることができる。また、配布先店舗３３を変更する場合にも即座に対応できる。
【００４３】
来店者情報処理部２２５は、外部Ｉ／Ｆ２１を介して、飲食店３０で紙エプロン３５０を入手した客の操作により客端末３１を介して送信される来店者情報を取得し、取得した来店者情報を来店者記憶部２３３及び店舗記憶部２３２に蓄積する。
【００４４】
また、来店者情報処理部２２５は、来店者情報に含まれるロットナンバーに基づいて配布先店舗３３の来店者数を計算し、計算した来店者数を配布先店舗３３の店舗情報として店舗記憶部２３２に記憶する。具体的には、来店者情報処理部２２５は、配布先店舗３３に紙エプロン３５０が配布されてから何日目に何種類のロットナンバーを客端末３１から取得したかに基づいて、ロットナンバーの種類数×同一ロットナンバーが記載されている紙エプロン３５０の枚数÷配布先店舗３３に配布されてからの経過日数＝配布先店舗３３における１日当たりの来店者数を計算する。
【００４５】
より具体的に説明すると、例えば、週に一度紙エプロン３５０の配布が行われる場合について、飲食店３０の一例である中村屋において、当初の自店情報の登録時点で１日平均約５０人であるならば、当初配布枚数は３５０枚／週となる。この場合、例えば１０枚ずつで異なるようにアルファベットでロットナンバーを表すとすると、ロットナンバーは例えばＡ１〜Ｉ２（３５種類）となる。例えば、中村屋では、配布先店舗３３として指定されてから数週間は、紙エプロン３５０が配布されてから７日目に３５種類目のアルファベットが管理サーバ２０へ送信されていたので、１日平均来客数が、３５×１０÷７＝５０人／日となる。配布先店舗３３として指定されて２ヶ月目からは５日目の閉店間際に３５種類目のアルファベットが送信されたので、１日平均約７０人となっていることが分かり、３ヶ月目には４日目の昼頃に３５種類目のアルファベットが送信されたので、１日平均約８０人となったことが分かる。
【００４６】
このように、来店者情報処理部２２５は、所定枚数毎に同一のロットナンバーが記された紙エプロン３５０について、飲食店３０に配布してから何日目に何種類のロットナンバーが管理サーバ２０へ送信されたかに基づいて利用者数を計算することで、例えばロットナンバーのＡ１から客に提供するかＩ２から提供するか等のロットナンバーの順番に関係なく、また来店者情報を送信しない客数を見込んだ利用者数を把握することができる。
【００４７】
また、来店者情報処理部２２５は、情報提供部２２６を介して配布依頼者端末１０、客端末３１及び飲食店端末３２にそれぞれ通知する依頼者用情報、客用情報、及び飲食店用情報を作成する。情報提供部２２６は、依頼者用情報、客用情報、及び飲食店用情報をメール等により送信することで通知してもよいし、管理サーバ２０が管理するホームページ上で、各配布依頼者端末１０、客端末３１及び飲食店端末３２がアクセス可能なページに掲載することで通知してもよい。
【００４８】
具体的には、来店者情報処理部２２５は、依頼者用情報を作成するために、受注記憶部２３１から配布依頼者からの配布依頼情報を読み出し、配布依頼情報に対応する配布先店舗３３の店舗情報や来店者情報をそれぞれ店舗記憶部２３２及び来店者記憶部２３３から読み出す。来店者情報処理部２２５は、読み出した店舗情報及び来店者情報に基づいて統計学等によるデータ解析を行い、配布先店舗３３における季節別や年度別等の客層変動や、配布した紙エプロン３５０の画像３６０に対する客層別の評価等を依頼者用情報として作成する。なお、依頼者用情報は、必要に応じてその内容が適宜変更されてもよい。
【００４９】
来店者情報処理部２２５は、作成した依頼者用情報を情報提供部２２６、外部Ｉ／Ｆ２１及びネットワーク４０を介して配布依頼者端末１０に通知する。この依頼者用情報が配布依頼者端末１０に通知されるタイミングは、配布期間が終了したときでもよいし、配布期間内における所定期間毎でもよいし、配布依頼者端末１０からの要求に応じてでもよい。また、来店者情報処理部２２５が依頼者用情報を作成するタイミングは、配布中の紙エプロン３５０に関する来店者情報や配布先店舗３３に関する来店者情報を所定回数取得する毎や所定期間毎にしてもよい。
【００５０】
また、来店者情報処理部２２５は、客用情報を作成するために、受注記憶部２３１、店舗記憶部２３２及び来店者記憶部２３３を参照して、客端末３１から来店者情報を取得した場合に客用情報として客端末３１へ返信する接続特典情報を取得する。例えば、配布依頼者による接続特典が配布依頼に関連付けられていないか受注記憶部２３１を検索したり、飲食店３０による接続特典が店舗情報に関連付けられていないか店舗記憶部２３２を検索したりする。また、この客用情報として、客端末３１の待ち受け画像として利用できるように、紙エプロン３５０の画像３６０が含まれてもよい。
【００５１】
また、来店者情報処理部２２５は、来店者情報に客が飲食店３０で飲食したメニューが含まれていた場合、そのメニューに該当するカロリーを店舗記憶部２３２から検索し、客用情報に含める。更に、来店者情報処理部２２５は、来店者情報に含まれる客の性別や年齢等に基づいて、飲食したカロリーを消費するために必要な運動量や運動方法等を客用情報に含めてもよい。また、来店者情報処理部２２５は、客の体重や身長等の身体情報を含めた来店者情報を取得した場合に、その客の体型にあったカロリー消費方法を客用情報に含めてもよい。また、来店者情報処理部２２５は、来店者記憶部２３３に蓄積された客の来店者情報に基づいて客が摂取したカロリー累計（例えば、今週のカロリーや今月のカロリー等）を客用情報に含めてもよい。
【００５２】
また、来店者情報処理部２２５は、客端末３１から来店者情報を取得するたびに紙エプロン普及補助システムＸを利用したことにより累積されるポイントを客用情報に含めてもよい。管理サーバ２０は、このポイントが所定ポイントに達した客にポイントと交換に所望の紙エプロン３５０を取得させる。
【００５３】
紙エプロン３５０の画像３６０は、様々な作者によって作製されるため、中には人気のクリエイターの物や評判の画像３６０が登場することが予想される。各紙エプロン３５０は、日本全国の各地方はもとより、地方の中でも更に地域を限定して配布されることがある。そのため、客が実物の紙エプロン３５０を手に入れようと思っても難しい場合があるため、ポイントを蓄積することにより所望の紙エプロン３５０を取得できるようにする。また、このように、カロリーや累積ポイント等の蓄積された来店者情報を客に通知することで、客に更に来店者情報を蓄積しようという意識を持たせることができ、本システムを利用するリピート率を高めることができる。
【００５４】
このように、客用情報を充実させることで、紙エプロン３５０が配布されている飲食店３０への客の来店、紙エプロン３５０の使用及び来店者情報のフィードバックを促進させることができる。なお、客用情報が作成され客端末３１に通知されるタイミングは、来店者情報処理部２２５が客端末３１から来店者情報を取得する毎に行うとよい。また、管理サーバ２０は、来店者記憶部２３３に蓄積された来店者情報に基づいて、客が過去に訪れた飲食店３０や、そこで飲食したメニュー、メニューのカロリー、蓄積されたポイント数等を客が所有するコンピュータ等で読み出せるようにしてもよい。この際、客は、所有するコンピュータ等を介して所定のページ（例えば管理サーバ２０が管理するホームページ）でパスワード等を入力することにより表示される個人用ページで、上記蓄積された来店者情報に基づく情報を確認できる。このとき、カロリーについては、折れ線グラフや棒グラフ等により摂取カロリーの推移が分かるように表示するとよい。また、客端末３１で上記蓄積された来店者情報に基づく情報を確認できるようにしてもよい。
【００５５】
また、来店者情報処理部２２５は、飲食店用情報を作成するために、店舗記憶部２３２から店舗情報を読み出し、読み出した店舗情報に基づいて統計学等によるデータ解析を行い、各飲食店３０における季節別や年度別等の客層変動等を飲食店用情報として作成する。飲食店用情報は、必要に応じてその内容が適宜変更されてもよい。来店者情報処理部２２５は、作成した飲食店用情報を情報提供部２２６、外部Ｉ／Ｆ２１及びネットワーク４０を介して飲食店端末３２に通知する。この飲食店用情報が飲食店端末３２に通知されるタイミングは、所定期間毎でもよいし、飲食店端末３２からの要求に応じてでもよい。また、来店者情報処理部２２５が飲食店用情報を作成するタイミングは、来店者情報を取得する度に行うのではなく、各飲食店３０について来店者情報を所定回数取得する毎や所定期間毎にしてもよい。
【００５６】
また、来店者情報処理部２２５は、配布依頼者によって指定された配布期間中に配布先店舗３３を変更する必要があるか否かを判断する。前述したとおり、飲食店３０では、様々な要因で客層や利用者数等が敏感に大きく変化しやすいため、配布対象として当初予定していた配布先店舗３３の客層や利用者数等と紙エプロン３５０の配布中の客層や利用者数等が異なることが多くあるからである。
【００５７】
例えば、配布先店舗３３の一例である中村屋の客層変化について図４に示す。中村屋では、店舗情報登録時では、１日平均来客数：５０人、性別：男、年齢層：３０〜４５歳、職業：サラリーマン、繁栄時間帯：１１時半〜１３時半であったのに対して、店舗情報登録後３ヶ月経過したときには、１日平均来客数：６０人、性別：男、年齢層：１５〜２５歳、職業：学生、繁栄時間帯：１２時〜１４時であった。中村屋では、店舗情報登録後に、近隣に専門学校が開校したため、客層がサラリーマンから学生へとシフトするとともに、１日平均来客数が増加し、また専門学校の授業時間帯の関係から繁栄時間帯が変化することになった。
【００５８】
また、店舗のメニューを刷新したり内装を変化させたりすることで、男性中心であった客層が女性中心に推移したり、メディアに店舗が紹介されることで、急激に来客者数が増えることもある。
【００５９】
このように、飲食店３０は、様々な要因で客層や利用者数等が敏感に大きく変化しやすいため、配布条件として当初予定していた客層や利用者数等と紙エプロン３５０の配布中の客層や利用者数等が異なることが多くある。貴重な広告費を広告対象と異なる飲食店３０に使用することは大変不経済である。しかしながら、飲食店３０側からの自己申告情報による客層や利用者数等に依存する場合、客観的なデータを得られにくい。そのため、来店者情報処理部２２５は、客端末３１から取得した来店者情報（例えば客の年齢や性別等）に基づいて店舗記憶部２３２に記憶された店舗情報（例えば客層や利用者数等）を更新し、更新した店舗情報に基づいて配布先店舗３３を変更する必要があるか否か判断している。
【００６０】
具体的には、来店者情報処理部２２５は、来店者情報に基づいて更新された店舗記憶部２３２に記憶された最新の店舗情報と、受注記憶部２３１に記憶された配布依頼時に指定された配布先店舗３３の店舗情報とを配布先店舗３３毎に比較し、更新された店舗情報と配布依頼時の店舗情報（配布依頼受付部２２１が配布依頼者端末１０から取得した配布先店舗３３の店舗情報）とが異なっている場合、配布依頼時に指定された配布先店舗３３の店舗情報に類似する飲食店３０を店舗記憶部２３２から検索し、検索した飲食店３０に配布先店舗３３を変更する。なお、配布先店舗３３を変更した場合であっても、配布依頼者によって配布依頼時に指定された配布先店舗３３の店舗情報は、比較の基準とするため受注記憶部２３１に残しておくものとする。
【００６１】
来店者情報処理部２２５は、配布先店舗３３の変更について、配布依頼者からの指示に基づいて行ってもよいし、自動的に変更するか否かを配布依頼者に予め設定させてもよい。来店者情報処理部２２５は、配布依頼者からの指示に基づいて配布先店舗３３を変更する場合、配布中の店舗情報が配布依頼時の店舗情報と異なっている旨と配布依頼時の店舗情報に類似する飲食店３０の一覧を依頼者用情報として情報提供部２２６により配布依頼者端末１０に送信させる。そして、配布依頼者端末１０を介して配布依頼者が、その依頼者用情報に基づいて配布先店舗３３を変更する旨、及び飲食店３０の一覧の中から飲食店３０を指定して来店者情報処理部２２５に配布期間内に返信してきた場合に、配布依頼者によって指定された飲食店３０を配布先店舗３３として変更してもよい。なお、この場合、配布依頼者は、配布依頼者端末１０を介して、飲食店３０を指定せずに配布先店舗３３を変更する旨だけを来店者情報処理部２２５に返信してもよい。来店者情報処理部２２５は、配布依頼者端末１０から配布先店舗３３を変更する旨だけを取得した場合、配布依頼者端末１０に通知した飲食店３０の一覧の中から紙エプロン３５０の支給が不足がちな飲食店３０を配布先店舗３３に変更すればよい。
【００６２】
次に、図５を参照して、この紙エプロン普及補助システムＸの全体の流れについて具体的に説明する。店舗記憶部２３２には、予め飲食店３０の店舗情報が記憶されているものとする。
【００６３】
（ステップＳ１０）
まず、管理サーバ２０は、配布依頼者端末１０からの紙エプロンフォーマット取得要求に基づいて、ネットワーク４０を介して配布依頼者端末１０に紙エプロンフォーマットを送信する。配布依頼者端末１０は、管理サーバ２０から取得した紙エプロンフォーマットを所定の記憶部に保存することができる。
【００６４】
（ステップＳ１１）
配布依頼者は、配布依頼者端末１０を介して、紙エプロンフォーマットに用意されている複数種類の紙エプロン画像の中から所望の紙エプロン画像を選択し、紙エプロン３５０への掲載を希望する所望の画像を紙エプロン画像内の所望の位置に配置したり、直接紙エプロン画像内の所望の位置にイラストソフト等を用いて画像を描いたりすることで、配布したい紙エプロンイメージを完成させる。
【００６５】
（ステップＳ１２）
配布依頼者は、配布依頼者端末１０を操作して、紙エプロンフォーマットによる紙エプロンイメージを完成させると、次に紙エプロン３５０を配布する配布条件を指定する。管理サーバ２０は、配布依頼者端末１０からの店舗情報取得要求に応じて店舗記憶部２３２に記憶された店舗情報を読み出し、複数の飲食店３０の中から紙エプロン３５０を配布したい飲食店３０を配布先店舗３３として配布先端末１０を介して配布依頼者に指定させるとともに、紙エプロン３５０の配布期間及び配布枚数等を指定させる。これにより、配布依頼者は、配布依頼者端末１０を介して、予め店舗記憶部２３２に記憶された店舗情報の中から所望の飲食店３０を配布条件に合わせて選ぶことができる。
【００６６】
（ステップＳ１３）
管理サーバ２０は、上記により配布依頼者端末１０が作成した、紙エプロンイメージや配布条件、配布依頼者情報等で構成される配布依頼情報をネットワーク４０を介して取得する。配布依頼者端末１０は、配布依頼情報を管理サーバ２０に送信する際に、客が客端末３１を介して、配布依頼者による紙エプロン３５０の識別コード３７０に基づいてアクセスしたことに応じて商品券等の特典を与える場合、その接続特典を配布依頼情報に含めてもよい。管理サーバ２０は、例えばＷＷＷ（World Wide Web）上の配布依頼情報を受け付けるページ等を介して配布依頼者端末１０によってアップロードされた配布依頼情報を取得してもよいし、メールやファックス等で配布依頼者端末１０から配布依頼情報を受信してもよい。また、上記配布依頼情報を受け付けるページについては、紙エプロンフォーマットにリンクを設けてもよい。このように、紙エプロンフォーマット等の予め用意された形式により簡単に紙エプロン３５０の配布依頼を行えるので、企業だけでなく、個人も簡単に利用でき、また、広告代理店等を介した場合に比べて、広告の完成イメージが分かりやすく、発注依頼等の打ち合わせに掛かる時間を無くすことができる。
【００６７】
（ステップＳ１４）
管理サーバ２０は、配布依頼者端末１０から配布依頼情報を取得すると、識別コード３７０を作成する。この識別コード３７０は、紙エプロン３５０に印刷され、飲食店３０で紙エプロン３５０の提供を受けた客が識別コード３７０を読み取り可能な携帯等の客端末３１により、来店者情報等を管理サーバ２０に送信できるように構成される。
【００６８】
（ステップＳ１５）
管理サーバ２０は、識別コード３７０を作成すると、配布依頼者端末１０から取得した紙エプロンイメージ内の所定位置３７１に、作成した識別コード３７０を書き込んで紙エプロン３５０の印刷イメージを作成する。
【００６９】
（ステップＳ１６）
管理サーバ２０は、紙エプロン３５０の印刷イメージを作成すると、配布依頼者端末１０によって指定された配布条件に基づいて紙エプロン３５０の配布指示を出す。この配布指示に基づいて紙エプロン３５０の印刷イメージに基づく紙エプロン３５０が配布先店舗３３に配布される。
【００７０】
配布先店舗３３への紙エプロン３５０の配布は、管理サーバ２０によって印刷された紙エプロン３５０を配送会社等が配送してもよいし、管理サーバ２０から紙エプロン３５０の印刷イメージを取得した印刷会社等が印刷し、配送会社等を介して配送してもよい。また、ネットワーク４０に接続されたプリンタ等の印刷機を配布先店舗３３となる飲食店３０に設置し、管理サーバ２０からネットワーク４０を介して配布先店舗３３の印刷機へ直接紙エプロン３５０の印刷命令を出し、飲食店３０に設置された印刷機から紙エプロン３５０を印刷させてもよい。
【００７１】
配布先店舗３３には、１日平均来店者数に合わせた枚数が配布される。配布先店舗３３には、例えば一週間分を週に一度等、所定期間毎に所定枚数ずつ紙エプロン３５０が配布されるようにしてもよいし、配布先店舗３３からの配布要求に応じて随時配布されるようにしてもよい。
【００７２】
（ステップＳ１７）
配布先店舗３３に配布された紙エプロン３５０は、配布先店舗３３に来店する客へ提供される。客は、飲食する際に紙エプロン３５０を着用することで、飲食物で衣服を汚すことを防止できる。また、客が紙エプロン３５０を着用することで、紙エプロン３５０に印刷された配布依頼者による画像３６０が広告される。特に、このように紙エプロン３５０を広告媒体として用いることは、箸袋や紙ナプキン等の他の消耗品を広告媒体として用いる場合よりも、広告面積が大きく、また客が紙エプロン３５０を着用するため広告効果が高い。
【００７３】
また、配布依頼者は、紙エプロン３５０の配布依頼を紙エプロンフォーマット等により簡単に行えるので、企業による広告手段だけでなく、例えば個人クリエイター等が広く自分の作品の認知度を高めるための手段として用いたり、一般人が趣味の絵や写真を公開するための手段として用いたりすることができる。また、誕生日やクラブの集会等の催しの際に、「○○ちゃん誕生日おめでとう」や「チーム紙エプ」等の画像３６０が記載された紙エプロン３５０を着用して飲食店３０で食事を楽しむことができる。なお、この場合、予約者名等を配布依頼時に登録できるようにし、飲食店３０側でその予約者名を告げたときに指定した紙エプロン３５０が客に提供されるようにしてもよい。このように、広告代理店等の人手を介さずに配布依頼を簡単に行えるので、企業の広告利用だけでなく、個人の趣味・娯楽としても利用できる。そのため、管理サーバ２０は、多くの配布依頼者を得ることができ、紙エプロン３５０を多くの飲食店３０に普及させることができる。
【００７４】
（ステップＳ１８）
客は、紙エプロン３５０に記載された識別コード３７０に携帯電話等の客端末３１によりアクセスする。客端末３１が識別コード３７０に基づいてアクセスすると、客情報を入力でき、入力した客情報を管理サーバ２０へ送信可能なページに接続される。
【００７５】
（ステップＳ１９）
図６は、客端末３１が識別コード３７０に基づいてアクセスすることによって、客端末３１に表示される客情報の入力画面例である。客情報入力画面５００には、性別、年齢、居住地域の都道府県、アンケート項目、送信ボタン等がある。アンケート項目には、何のメニューを飲食したかや、紙エプロン３５０に記載された画像３６０についての評価（例えば、良い、普通、悪い等）等がある。なお、性別や年齢及びアンケート項目等のように一覧から選択可能な項目は、ドロップダウンリスト等による表示にして、客の入力の手間を軽減するとよい。また、飲食したメニューとともに、そのメニューに関する客の感想を入力できるようにしても良い。
【００７６】
（ステップＳ２０）
客端末３１は、客によって客情報入力画面５００内の送信ボタンが押下されることで、予め識別コード３７０に書き込まれた所定情報と客によって入力された客情報とを来店者情報として、ネットワーク４０を介して管理サーバ２０に送信する。
【００７７】
（ステップＳ２１）
管理サーバ２０は、ネットワーク４０を介して客端末３１から来店者情報を取得すると、来店者記憶部２３３、受注記憶部２３１、店舗記憶部２３２に来店者情報及び／又は来店者情報に基づく情報を蓄積する。管理サーバ２０は、来店者情報を取得する度に来店者情報に基づいて店舗情報をリアルタイムに更新（蓄積）するので、配布依頼者が配布依頼を行う際に最新の店舗情報に基づいて配布先店舗３３を選択させることができる。
【００７８】
（ステップＳ２２）
管理サーバ２０は、来店者情報に基づいて、配布依頼者用情報、客用情報、飲食店用情報を作成し、ネットワーク４０を介して、それぞれ配布依頼者端末１０、客端末３１及び飲食店端末３２に送信する。依頼者用情報は、画像３６０に対する評価や来店者情報等である。配布依頼者は、配布依頼者端末１０を介して依頼者用情報を取得することで、広告に対する反響及び飲食店別や客層による反響の違い等の有益な広告効果を得ることができる。客用情報は、例えば来店した飲食店３０で利用できるクーポン等や、配布依頼者から提供される商品券等や、来店者情報を送信したことによるポイントや、来店した飲食店３０で飲食した料理のカロリー表示等であり、客にとって魅力的な内容となっている。客は、この客用情報を取得するために、紙エプロン３５０を入手し識別コード３７０に基づいてアクセスしようとする。そのため、管理サーバ２０は、配布先店舗３３における集客率を向上させられるとともに、紙エプロン３５０の識別コード３７０に基づいてアクセスした客から来店者情報を取得することができる。また、店舗情報は、各飲食店３０の客層や利用者数等である。これにより、飲食店３０は、紙エプロン３５０の支給を受けられるだけでなく、例えば個人商店等では設備投資する余裕がないために把握しにくい自店の客層等を簡単に把握して、料理やサービスの改善に生かすことができる。
【００７９】
（ステップＳ２３）
管理サーバ２０は、受注記憶部２３１を参照して配布先店舗３３毎に配布期間が終了しているか否かを判断する。配布期間が終了しているか否かの判断については、普及プロモーション部２２が行えばよい。管理サーバ２０は、ステップＳ２３でＹｅｓの場合、すなわち、配布期間が終了していると判断した配布先店舗３３については、本処理を終了する。
【００８０】
一方、ステップＳ２３でＮｏの場合、すなわち、管理サーバ２０は、配布期間が終了していないと判断した配布先店舗３３についてはステップＳ２４に進み、配布依頼者端末１０に送信した依頼者用情報に基づいて、配布期間内に配布依頼者端末１０からこの配布先店舗３３を変更する旨の返信があるか否かを判断する。
【００８１】
ステップＳ２４でＹｅｓ、すなわち、管理サーバ２０は、配布依頼者端末１０から配布先店舗３３を変更する旨を取得した場合、ステップＳ２５に進む。ステップＳ２５で管理サーバ２０は、配布先店舗３３を所定の飲食店３０に変更する。これにより、配布依頼者によって指定された配布依頼時の配布条件において当初指定した配布先店舗３３が変更される。そして、ステップＳ１４に戻り、管理サーバ２０は、変更後の配布先店舗３３に基づいて識別コード３７０を作成し、以降の各ステップの処理を行う。つまり、配布期間中であれば、配布先店舗３３は複数回変更される場合がある。このとき、ステップＳ１４で管理サーバ２０が作成する識別コード３７０には、ステップＳ２５で変更された配布先店舗３３の店舗情報が書き込まれる。配布枚数や配布期間は、配布依頼者が当初指定した配布条件に基づくので、配布開始後の残日数及び残枚数となる。
【００８２】
一方、ステップＳ２４でＮｏ、すなわち、管理サーバ２０は、配布依頼者端末１０から配布先店舗３３を変更する旨を取得しなかった場合、配布先店舗３３の変更を行わず、ステップＳ２１に処理を戻す。
【００８３】
これにより、配布依頼者は、紙エプロン３５０の配布中に配布先店舗３３の客層や利用者数等の店舗情報が変わった場合にも、配布依頼時に指定した配布条件に合う飲食店３０に配布先店舗３３を切り換えることができるので、確実に配布条件に沿った飲食店３０に紙エプロン３５０の配布を行うことができる。また、配布依頼時に指定した配布枚数の紙エプロン３５０が、配布依頼時に指定した配布先店舗３３の利用者数が減ったために配布先店舗３３で余ることもなく経済的である。なお、ステップＳ１４からステップＳ１６までの処理は、配布先店舗３３における過去の店舗情報の変わりやすさ（利用者数や客層の過去の変動）に基づいて、ステップＡ２５で配布先店舗３３が変更される可能性があることを考慮して、一度に処理する量を調整するとよい。また、ステップＳ１４からステップＳ１６までの処理において、管理サーバ２０は配布依頼情報を受注記憶部２３１から読み出して処理に用いてもよい。
【００８４】
以上の処理により、管理サーバ２０は、紙エプロン３５０の普及を円滑に促進させることができる。
【００８５】
このように、本実施形態によれば、紙エプロンフォーマットによる配布依頼の容易にできること、リアルタイムに更新される店舗情報に基づいて紙エプロン３５０の配布先店舗３３を選択できること、紙エプロン３５０に基づく来店者情報を取得できることから、飲食店３０へ紙エプロン３５０を提供しようとする配布依頼主を多く獲得することができる。また、紙エプロン３５０の識別コード３７０に基づいてアクセスすることにより接続特典（客用情報）を取得できることから、客が管理サーバ２０へ来店者情報を送信しようとする欲求を高め、多くの客から来店者情報を取得することができる。また、多くの客から来店者情報を取得できることで、店舗情報における情報精度を高めることができ、また、配布依頼者に多くの来店者情報を提供できるので配布依頼者の欲求を満たすことができる。更に、紙エプロン３５０の識別コード３７０に基づいてアクセスすることにより接続特典を取得できること、紙エプロン３５０により衣服を飲食物で汚すことを防止できることから、本実施形態の紙エプロン３５０が配備されている飲食店３０を優先して客が利用するようになり、飲食店３０における集客率を向上させることができる。また、紙エプロン３５０の取得、集客率の向上又は来店者情報を取得できることから、紙エプロン３５０の提供を受けようとする飲食店３０を多く獲得することができる。このように、本実施形態の紙エプロン普及補助システムＸによれば、配布依頼者、飲食店３０の経営者等及び客を皆満足させることができ、紙エプロン３５０の普及を促進できる。
【００８６】
また、管理サーバ２０は、来店者情報を取得する毎にリアルタイムでホームページの更新を行ってもよい。このホームページとは、トップページに限らず、管理サーバ２０が蓄積するデータに基づきＷＷＷで公開されるページであればよい。
【００８７】
図７は、配布中の紙エプロン３５０の一覧が掲載されたホームページの画面例である。図７で示す一覧画面５１０内の紙エプロン３５０には、配布依頼者により指定された画像３６０が描画されており、各紙エプロン３５０の下には、実際に紙エプロン３５０を入手して識別コード３７０に基づいてアクセスした客の総接続者数が表示される。また、各紙エプロン３５０の上にカーソルを載せると、例えば「紙エプ（株）」のようにその紙エプロン３５０の配布依頼者名が表示される。閲覧者が各紙エプロン３５０をマウス等でクリック等して指定すると、その紙エプロン３５０に関する詳細情報が表示される。
【００８８】
図８は、図７に示す一覧画面５１０上の各紙エプロン３５０をクリック等したときに表示される詳細情報の表示画面例である。詳細画面５１１には、クリック等された紙エプロン３５０の配布先店舗３３、配布依頼者、配布期間及び接続特典等が表示される。配布先店舗３３は、クリック等された紙エプロン３５０が配布されている店舗であり、配布先店舗３３がホームページを有している場合には、この配布先店舗名をクリック等するとその配布先店舗３３のホームページに接続されるようリンクされている。配布依頼者は、紙エプロンイメージを作成し、管理サーバ２０を介して紙エプロン３５０の配布を行っている者であり、配布先店舗３３と同様に、配布依頼者がホームページを有している場合には、配布依頼者名とその配布依頼者のホームページとがリンクされる。配布期間は、配布依頼者が指定した紙エプロン３５０が配布先店舗３３で配布される期間である。接続特典は、客が紙エプロン３５０の識別コード３７０に基づいてアクセスして来店者情報を管理サーバ２０に送信することで取得できる客用情報であり、管理サーバ２０から客端末３１に返信された接続特典を配布先店舗３３の従業員等に見せることで、例えば配布先店舗３３で所定メニューがサービスされたり、飲食料金等が値引きされたりする。なお、一覧画面５１０内から紙エプロン３５０がクリック等されたときに、紙エプロン３５０の配布先店舗３３を所在地に合わせて地図上でシンボル表示し、シンボル表示した配布先店舗３３の近傍に吹き出し形式で詳細画面５１１を表示してもよい。また、一覧画面５１０内の各紙エプロン３５０の近傍に“マップ表示ボタン”等を設け、このボタンが押下されたときに紙エプロン３５０の配布先店舗３３を所在地に合わせて地図上にシンボル表示してもよい。また、シンボル表示した配布先店舗３３がクリック等されることで、初めて詳細画面５１１を表示するようにしてもよい。
【００８９】
このように、管理サーバ２０は、配布中の紙エプロン３５０の状況についてリアルタイムにホームページを更新することで、接続者数の多寡等により客に紙エプロン３５０に興味を持たせるとともに、興味を持った紙エプロン３５０について客に配布依頼者及び配布先店舗３３の宣伝を行い、また、客がその配布先店舗３３を訪れる動機付けを与えることができる。また、企業等が接続者数の多寡等に基づいて、人気のある紙エプロン３５０を知ることができ、その紙エプロン３５０の画像３６０について著作権の購入を検討したり、その作者に仕事の依頼を検討したりできる。
【００９０】
また、個人クリエイター等による本実施形態の利用をより促進するために、紙エプロン３５０の配布依頼を、その紙エプロン３５０に掲載する画像３６０の著作権を販売するために用いてもよい。例えば、紙エプロンフォーマットにより配布依頼を行う際に、画像３６０の著作権について、著作権売却希望や、作品のみ売却希望、売却希望価格や、作品引渡し時の状態（例えば、作品が絵画であれば額に入れる、書であれば掛け軸に装丁する等）等を指定できる作者希望情報を配布条件に追加できるようにしてもよい。管理サーバ２０は、作者希望情報が配布条件に含まれる場合、識別コード３７０を作成する際に、客端末３１が識別コード３７０に基づいてアクセスしたときの客情報として、画像３６０の著作権について作者希望情報に対応する購入依頼情報として、この作品を買うや著作権を利用する、ライセンス契約や仕事を依頼したい等を指定できるようにするとよい。これは、企業等の閲覧者がホームページ上で画像３６０の詳細情報を表示した際に指定できるようにしてもよい。これにより、管理サーバ２０は、取得した来店者情報に含まれる作者希望情報に対応する著作権の購入依頼情報を依頼者用情報に含めて配布依頼者、すなわち個人クリエイター等に送信するので、個人クリエイター等が依頼者用情報に含まれる著作権の購入依頼情報に基づいて、自身の作製したデザインの著作権について、紙エプロン３５０の配布を介して販売することができる。また、管理サーバ２０は、取得した来店者情報に含まれる作者希望情報に対応する著作権の購入依頼情報について、客端末３１等を介して最も高い価格の購入依頼情報を送信した客の著作権の購入依頼情報だけを依頼者情報に含めて配布依頼者端末１０に送信してもよい。これによれば、個人クリエイター等の配布依頼者が、簡単にオークション形式で画像３６０の著作権の販売を行える。
【００９１】
また、上記により、著作権の売買が成立した場合、管理サーバ２０は、予め設定された著作権を取り扱う資格のある業者の情報を配布依頼者端末１０に送信してもよい。また、管理サーバ２０が管理するホームページ上で、著作権の売買について、著作権を取り扱う資格のある業者を紹介するリンクページを備えてもよい。また、管理サーバ２０は、これら業者からのお役立ち情報書き込み欄や成約情報書き込み欄や質問事項に回答する掲示板等のコーナーを設け、著作権売買を行おうとする者への知識補助や安心感を与えるようにするとよい。
【００９２】
また、配布依頼者は紙エプロン３５０に掲載する画像３６０を公募してもよい。公募対象としては、商品や企業、公共事業（国民体育大会や博覧会、スタジアム等）の名称や名称のロゴタイプ、キャラクターを募集してもよいし、企業等のキャンペーン等に係るポスターのデザインを募集してもよい。これによれば、配布依頼者は、依頼者用情報として来店者情報に基づく各画像３６０の評価を取得できるので、地域別や年齢別等に評価の高いデザインがどのようなものかを知ることができる。そして、最も評価の高かった画像３６０を公募の当選作品としてもよい。また、これによれば、多くの個人クリエイターを発掘することができる。
【００９３】
この場合、配布依頼者端末１０は、配布依頼者の操作により、紙エプロンフォーマットを介して例えば予め紙エプロンフォーマットに用意された公募を示す画像３６０（例えば、「公募」と書かれた画像等、画像３６０を公募することを形式的に表明した画像）を紙エプロン画像に付加した紙エプロンイメージを作成し、作成した紙エプロンイメージと配布条件と紙エプロン３５０に貼り付ける画像３６０を公募する旨と公募対象の情報（例えば、公募対象の画像や説明資料等）とを配布依頼情報に含めて管理サーバ２０に送信するとよい。管理サーバ２０は、配布依頼情報に公募する旨又は公募を示す画像３６０が含まれている場合、過去に配布依頼を行った経験のある個人クリエイター等の配布依頼者端末１０に公募がある旨と配布依頼者から取得した配布依頼情報とをメール等により送信する。また、配布依頼受付部２２１は、公募があることを管理サーバ２０が管理するホームページ上で告知し、ホームページ上から公募に関する配布依頼情報をダウンロードさせるようにしてもよい。個人クリエイター等は、個人クリエイター等の端末を介して取得した配布依頼情報に含まれる紙エプロンイメージ及び配布条件に合わせてデザインを作製する。個人クリエイター等は端末を操作し、作製したデザインを、公募を示す画像３６０に換えて紙エプロンイメージの所望の位置に貼り付けて応募作品とし、配布依頼者から指定された配布条件と作成した応募作品の紙エプロンイメージを配布依頼情報として配布依頼受付部２２１に送信する。このとき、個人クリエイター等から送信される配布依頼情報の配布依頼者情報は公募を行った配布依頼者となり、紙エプロンイメージの作者情報は応募作品を送信した個人クリエイター等となる。
【００９４】
なお、紙エプロンフォーマットではなく、配布依頼者端末１０がダウンロード可能な公募専用のフォーマット（または、ホームページ上に設けられた公募発注画面）を介して、公募する商品の画像や商品に関する資料と当選時の報奨金額や配布条件等を配布依頼者端末１０から管理サーバ２０に送信させてもよい。管理サーバ２０は、配布依頼者端末１０から取得したそれら公募に関する情報を個人クリエイター等の端末に送信し、個人クリエイター等によってそれら公募に関する情報に基づいて作製された応募作品の画像３６０を個人クリエイター等の端末から取得してもよい。このとき個人クリエイター等の端末から送信される応募作品の画像３６０は、所定の紙エプロン画像に付加された紙エプロンイメージであってもよいし、単純に応募作品の画像３６０からなる画像形式であってもよい。管理サーバ２０は画像形式の応募作品を取得した場合、所定の紙エプロン画像に応募作品を貼り付けて紙エプロンイメージを作成すればよい。この所定の紙エプロン画像は、配布依頼者端末１０が公募に係る配布依頼情報を送信する際に指定したものでもよいし、予め公募用に定められた紙エプロン画像でもよいし、応募作品を作製する個人クリエイター等が指定したものでもよい。
【００９５】
また、管理サーバ２０は、配布依頼情報に含まれる紙エプロンイメージについて、公序良俗に反していないか等を判断する不図示の検閲手段を備えてもよい。例えば、配布依頼受付部２２１は、客端末３１から配布依頼情報を取得すると、取得した配布依頼情報の紙エプロンイメージを不図示の検閲担当部署端末等へ転送する。検閲担当部署の職員は、転送された紙エプロンイメージの画像３６０について公序良俗に違反していないかどうかや、配布先店舗３３においてふさわしくない画像や広告であるかを検閲し判断する。検閲の内容としては、例えば、暴力的・卑猥・飲食時にふさわしくない画像３６０や、配布先店舗３３の競合会社の製品がモチーフとなっている画像３６０を排除する。
【００９６】
検閲担当部署端末等は、この検閲作業で問題なしと判断された画像３６０の配布依頼者の配布依頼者端末１０に、問題なしである旨をメールで送信する。また、この際に決済の日時等を併せて送信してもよい。一方、検閲担当部署端末等は、問題ありと判断された画像３６０の配布依頼者の配布依頼者端末１０に、問題ありとする旨をその理由とともにメールで送信する。この場合、問題ありと判断された理由が、配布先店舗３３のＮＧ広告に関係するような場合、配布先店舗３３を変更すれば問題が解消される旨も併せて送信するとよい。
【００９７】
また、配布中の紙エプロン３５０について、管理サーバ２０が管理するホームページ上で公開する旨を上記したが、紙エプロン３５０の画像３６０に対する評価については、紙エプロン３５０の識別コード３７０に基づいてアクセスした客だけでなく、管理サーバ２０が管理するホームページの閲覧者も投票できるようにしてもよい。この場合、管理サーバ２０は、投票を行った閲覧者に紙エプロン３５０の取り寄せに使えるポイントを与えてもよい。
【００９８】
本発明は上述した実施の形態に限定されるものではなく、本発明の趣旨を逸脱しない範囲で種々様々に変更が可能であることは言うまでもない。例えば、紙エプロンをトレイマットや紙ナプキン、箸袋等の他の紙製消耗品に代替してもよい。
【符号の説明】
【００９９】
１０・・・配布依頼者端末
２０・・・管理サーバ
２１・・・外部Ｉ／Ｆ
２２・・・普及プロモーション部
２３・・・情報記憶部
３０・・・飲食店
３１・・・客端末
３２・・・飲食店端末
３３・・・配布先店舗
４０・・・ネットワーク
２２１・・配布依頼受付部
２２２・・コード作成部
２２３・・紙エプロン描画部
２２４・・配布指示部
２２５・・来店者情報処理部
２２６・・情報提供部
２３１・・受注記憶部
２３２・・店舗記憶部
２３３・・来店者記憶部
３５０・・紙エプロン
３６０・・画像
３７０・・識別コード
５００・・客情報入力画面
５１０・・一覧画面
５１１・・詳細画面
Ｘ・・・・紙エプロン普及補助システム
【図１】
2011123753.tif 000003
【図２】
2011123753.tif 000004
【図３】
2011123753.tif 000005
【図４】
2011123753.tif 000006
【図５】
2011123753.tif 000007
【図６】
2011123753.tif 000008
【図７】
2011123753.tif 000009
【図８】
2011123753.tif 000010